(57)【要約】【課題】ユーザが求める他者に関する情報を適時に通知する。【解決手段】ユーザが求める他者に関する情報を前記ユーザに通知する情報通知システムであって、前記ユーザが有するユーザ端末から、前記他者に関する情報の通知先としてのユーザ情報と、前記他者に関するキーワードと、前記他者の連絡先と、を対応付けた登録情報を取得する登録情報取得部と、複数の前記ユーザ端末から取得した複数の前記登録情報に含まれる複数のキーワードを、所定の情報配信機関によって作成されるコンテンツと照合するキーワード照合部と、いずれかの前記キーワードが前記コンテンツに含まれる場合、当該キーワードに対応付けられている前記他者の連絡先を特定し、当該他者の連絡先と対応付けられている各ユーザに、前記コンテンツに関する情報を、前記他者に関する情報として通知する情報通知部と、を備える、情報通知システム。【選択図】図１
2020115300.tif 000002
【特許請求の範囲】
【請求項１】
ユーザが求める他者に関する情報を前記ユーザに通知する情報通知システムであって、
前記ユーザが有するユーザ端末から、前記他者に関する情報の通知先としてのユーザ情報と、前記他者に関するキーワードと、前記他者の連絡先と、を対応付けた登録情報を取得する登録情報取得部と、
複数の前記ユーザ端末から取得した複数の前記登録情報に含まれる複数のキーワードを、所定の情報配信機関によって作成されるコンテンツと照合するキーワード照合部と、
いずれかの前記キーワードが前記コンテンツに含まれる場合、当該キーワードに対応付けられている前記他者の連絡先を特定し、当該他者の連絡先と対応付けられている各ユーザに、前記コンテンツに関する情報を、前記他者に関する情報として通知する情報通知部と、
を備える、情報通知システム。
【請求項２】
請求項１に記載の情報通知システムであって、
前記他者の連絡先は、前記他者の電話番号、住所、及びメールアドレスの少なくともいずれかを含む、情報通知システム。
【請求項３】
請求項１又は２に記載の情報通知システムであって、
前記コンテンツは、新聞又は雑誌の記事である、情報通知システム。
【請求項４】
請求項３に記載の情報通知システムであって、
前記他者は、前記ユーザの知人であり、
前記他者に関するキーワードは、前記知人の本名、別名、及び愛称の少なくともいずれかである、情報通知システム。
【請求項５】
請求項４に記載の情報通知システムであって、
前記コンテンツは、お悔やみ記事である、情報通知システム。
【請求項６】
ユーザが求める他者に関する情報を前記ユーザに通知する情報通知システムの制御方法であって、
前記情報通知システムが、
前記ユーザが有するユーザ端末から、前記他者に関する情報の通知先としてのユーザ情報、前記他者に関するキーワードと、前記他者の連絡先と、を対応付けた登録情報を取得し、
複数の前記ユーザ端末から取得した複数の前記登録情報に含まれる複数のキーワードを、所定の情報配信機関によって作成されるコンテンツと照合し、
いずれかの前記キーワードが前記コンテンツに含まれる場合、当該キーワードに対応付けられている前記他者の連絡先を特定し、当該他者の連絡先と対応付けられている各ユーザに、前記コンテンツに関する情報を、前記他者に関する情報として通知する、
情報通知システムの制御方法。
【請求項７】
ユーザが関心を持つ他者に関する情報を前記ユーザに通知するコンピュータに、
前記ユーザが有するユーザ端末から、前記他者に関する情報の通知先としてのユーザ情報、前記他者に関するキーワードと、前記他者の連絡先と、を対応付けた登録情報を取得する手順と、
複数の前記ユーザ端末から取得した複数の前記登録情報に含まれる複数のキーワードを、所定の情報配信機関によって作成されるコンテンツと照合する手順と、
いずれかの前記キーワードが前記コンテンツに含まれる場合、当該キーワードに対応付けられている前記他者の連絡先を特定し、当該他者の連絡先と対応付けられている各ユーザに、前記コンテンツに関する情報を、前記他者に関する情報として通知する手順と、
を実行させるためのプログラム。
【発明の詳細な説明】
【技術分野】
【０００１】
本発明は、情報通知システム、情報通知システムの制御方法及びプログラムに関する。
【背景技術】
【０００２】
近年、インターネットを利用して様々な情報を取得できるようになった。
【０００３】
例えば、知人の名前をキーワードにして検索することで、知人に関する情報を容易に取得することができる。また、このような人物検索をより高精度に行うための技術開発も進められている（例えば特許文献１参照）。
【先行技術文献】
【特許文献】
【０００４】
【特許文献１】特開２０１４−０２６６１５号公報
【発明の概要】
【発明が解決しようとする課題】
【０００５】
しかしながら、知人が新聞や雑誌などのメディアに取り上げられるようなことがあったとしても、余程大きく取り上げられるか、事前に本人から知らされていない限り、そのことに気づくことはほとんどない。
【０００６】
また知人も様々であり、例えば最近知り合ったばかりで名前をはっきり覚えていない場合などもあり、その場合は名前で検索する事は難しい。
【０００７】
さらに、知人に関する情報だけでなく、企業や学校、団体など、広く、ユーザが関心を持つ法人などの他者に関する情報についても同様であり、このような他者に関する情報を、インターネットで検索を行わなくても、適時に通知してくれるような技術があれば便利である。
【０００８】
本発明はこのような課題を鑑みてなされたものであり、ユーザが求める他者に関する情報を適時にユーザに通知することが可能な情報通知システム、情報通知システムの制御方法及びプログラムを提供することを目的とする。
【課題を解決するための手段】
【０００９】
本発明の一実施形態の情報通知システムは、ユーザが求める他者に関する情報を前記ユーザに通知する情報通知システムであって、前記ユーザが有するユーザ端末から、前記他者に関する情報の通知先としてのユーザ情報と、前記他者に関するキーワードと、前記他者の連絡先と、を対応付けた登録情報を取得する登録情報取得部と、複数の前記ユーザ端末から取得した複数の前記登録情報に含まれる複数のキーワードを、所定の情報配信機関によって作成されるコンテンツと照合するキーワード照合部と、いずれかの前記キーワードが前記コンテンツに含まれる場合、当該キーワードに対応付けられている前記他者の連絡先を特定し、当該他者の連絡先と対応付けられている各ユーザに、前記コンテンツに関する情報を、前記他者に関する情報として通知する情報通知部と、を備える。
【００１０】
その他、本願が開示する課題、及びその解決方法は、発明を実施するための形態の欄の記載、及び図面の記載等により明らかにされる。
【発明の効果】
【００１１】
ユーザが求める他者に関する情報を適時に通知することが可能な情報通知システム、情報通知システムの制御方法及びプログラムを提供することができる。
【図面の簡単な説明】
【００１２】
【図１】本実施形態に係る情報通知システムを含む情報システムの全体構成図である。
【図２】本実施形態に係るユーザ端末のハードウェア構成を示す図である。
【図３】本実施形態に係る第１知人リストを示す図である。
【図４】本実施形態に係る第２知人リストを示す図である。
【図５】本実施形態に係る情報配信機関サーバのハードウェア構成を示す図である。
【図６】本実施形態に係る情報通知システムのハードウェア構成を示す図である。
【図７】本実施形態に係る登録情報管理テーブルを示す図である。
【図８】本実施形態に係る情報通知システムの機能構成を示す図である。
【図９】本実施形態に係る処理の流れを示すフローチャートである。
【図１０】本実施形態に係るコンテンツを示す図である。
【図１１】本実施形態に係る第１ユーザ端末の画面例を示す図である。
【図１２】本実施形態に係る第２ユーザ端末の画面例を示す図である。
【発明を実施するための形態】
【００１３】
本明細書および添付図面の記載により、少なくとも以下の事項が明らかとなる。以下、本発明をその一実施形態に即して添付図面を参照しつつ説明する。
【００１４】
＝＝全体構成＝＝
図１に、本発明の一実施形態に係る情報通知システム３００、情報配信機関サーバ２００、第１ユーザ端末１００Ａ及び第２ユーザ端末１００Ｂを含む情報システム１０００を示す。情報通知システム３００、情報配信機関サーバ２００、第１ユーザ端末１００Ａ及び第２ユーザ端末１００Ｂは、インターネットやＬＡＮ（Local Area Network）、電話網等のネットワーク５００を通じてデータの送受信が可能となるよう接続されている。
【００１５】
情報配信機関サーバ２００は、新聞社や出版社、放送局等のメディア機関をはじめ、企業や官公庁、学校など、情報を配信する各種機関（情報配信機関）が使用するサーバやパソコン等のコンピュータである。
【００１６】
情報配信機関は、日々様々な情報を作成しており、例えば情報配信機関サーバ２００に構築されたウェブページに、日々のニュースやブログ、雑誌記事等の様々なコンテンツ９００を掲載し、公開している。本実施形態では、一例として情報配信機関は特定の新聞社であるものとする。
【００１７】
第１ユーザ端末１００Ａは、第１ユーザが使用する情報端末であり、第２ユーザ端末１００Ｂは、第２ユーザが使用する情報端末である。第１ユーザ端末１００Ａ及び第２ユーザ端末１００Ｂは、例えばスマートフォンや携帯電話機、ノートパソコン、タブレットなどの可搬型の情報処理端末、各ユーザが自宅で使用するパソコン等のコンピュータである。
【００１８】
以下、第１ユーザ端末１００Ａ及び第２ユーザ端末１００Ｂを区別して説明する必要がない場合は、ユーザ端末１００と記載する。また同様に、第１ユーザ及び第２ユーザを区別する必要がない場合は、ユーザと記載する。また第１ユーザ及び第２ユーザをそれぞれユーザＡ及びユーザＢとも記す。
【００１９】
なお情報システム１０００は、多数のユーザ端末１００を含むが、以下の実施形態では説明の簡単化のために、図１に示したように２台のユーザ端末１００を含んで構成されるものとして説明する。
【００２０】
本実施形態では、各ユーザは、関心のある友人等の他者に関する情報をユーザ端末１００に通知してもらうために、事前に情報通知システム３００に後述する所定の登録情報を登録しておく。そしてその他者に関する情報が所定の情報配信機関（例えば特定の新聞社）から配信されると、情報通知システム３００からその情報が掲載されたことを知らせる通知（以下「お知らせ通知」という。）、新聞記事等のコンテンツ９００あるいはコンテンツ９００のリンク情報（例えばＵＲＬ（Uniform Resource Locator））等のコンテンツ９００に関する情報がユーザ端末１００に通知される。
【００２１】
例えば、ユーザは、現在は疎遠になってしまった子供時代の友人の氏名を、その友人の電話番号、及び自己のメールアドレスと共に情報通知システム３００に登録しておくことで、その友人の氏名が掲載されたニュースの記事（例えば、お悔やみ記事）が配信された際に、お知らせ通知やその記事あるいは記事のＵＲＬが記載された電子メールを受け取ることができる。なお詳細は後述するが、本実施形態では、例えばその友人の氏名を忘れてしまったとしても、その友人に関する情報を取得できる場合がある。
【００２２】
情報通知システム３００は、ユーザ端末１００から、ユーザが関心を持つ知人等の他者の一覧（後述する知人リスト６１０）及びユーザの連絡先（メールアドレス等）が記載された登録情報を取得し、情報配信機関サーバ２００から配信されるコンテンツ９００の中に、該当する他者に関する情報が掲載されたコンテンツ９００があった場合に、該情報が掲載されたことのお知らせ通知、そのコンテンツ９００あるいはコンテンツ９００のリンク情報（例えばＵＲＬ）を、ユーザの連絡先に通知する。
【００２３】
このような態様により、ユーザは、ユーザが求める他者に関する情報を適時に取得することができる。
【００２４】
以下、詳細に説明する。
【００２５】
＝＝ユーザ端末＝＝
まず、ユーザ端末１００について図２を参照しながら説明する。
【００２６】
ユーザ端末１００のハードウェア構成図の一例を図２に示す。本実施形態に係るユーザ端末１００は、ＣＰＵ（Central Processing Unit）１１０、メモリ１２０、通信装置１３０、記憶装置１４０、入力装置１５０、出力装置１６０、及び記録媒体読取装置１７０を備えて構成されるスマートフォンやパソコンなどのコンピュータである。
【００２７】
記憶装置１４０は、ユーザ端末１００によって実行あるいは処理されるユーザ端末制御プログラム７１０や後述する知人リスト６１０等の各種のプログラムやデータを格納する。
【００２８】
記憶装置１４０に記憶されているユーザ端末制御プログラム７１０や知人リスト６１０等の各種のデータがメモリ１２０に読み出されてＣＰＵ１１０によって実行あるいは処理されることにより、ユーザ端末１００の各種機能が実現される。
【００２９】
ここで、記憶装置１４０は例えばハードディスクやＳＳＤ（Solid State Drive）、フラッシュメモリ等の不揮発性の記憶装置である。
【００３０】
またユーザ端末制御プログラム７１０は、本実施形態に係るユーザ端末１００が有する機能を実現するためのプログラムを総称しており、例えば、ユーザ端末１００上で動作するアプリケーションプログラムやＯＳ（Operating System）、種々のライブラリ等を含む。
【００３１】
知人リスト６１０は、ユーザの友人等、ユーザが関心を持つ他者を列挙したリストである。他者には人だけでなく会社や学校などが含まれていてもよいが、本実施形態では、知人リスト６１０にはユーザの知人が掲載されるものとする。
【００３２】
図３に、第１ユーザが関心を持つ知人を列挙した第１知人リスト６１０Ａを示し、図４に、第２ユーザが関心を持つ知人を列挙した第２知人リスト６１０Ｂを示す。
【００３３】
図３及び図４に示す様に、知人リスト６１０は、例えば「氏名」欄、「電話番号」欄、「メールアドレス」欄、「住所」欄、「その他キーワード」欄の各欄を備える。
【００３４】
「氏名」欄には、ユーザが関心を持つ他者の氏名等が記載される。「氏名」欄に記載された情報は、情報配信機関によって作成されたコンテンツ９００内に、他者に関する情報が掲載されているか否かを情報通知システム３００が判別する際のキーワードとして使用される。
【００３５】
なお、「氏名」欄に記載される情報は、図３に示す様に、本名（○○一郎）でもよいし、別名（芸名等）でもよい。あるいはあだ名等の愛称（ゴロー）でもよい。また企業や団体などの名称や略称でもよい。
【００３６】
「電話番号」欄、「メールアドレス」欄、及び「住所」欄には、他者の連絡先が記載される。他者の連絡先は、これらのうちの少なくともいずれかが記載されていればよい。図３に示す例では、「ゴロー」は「電話番号」欄のみが記載されており、「メールアドレス」及び「住所」の各欄は空欄になっている。
【００３７】
「その他キーワード」欄は、「氏名」欄に記載されたキーワードを補足するキーワードが記載される欄であり、例えば図３に示す例では、「○○一郎」を補足するキーワードとして「野球」が記載されている。このような態様により、第１ユーザは、「○○一郎」という人物の「野球」に関する情報がコンテンツ９００に掲載された場合に、その旨の通知を受けるようにすることができる。この様にすることにより、ユーザが知りたい情報を絞り込むことができる。
【００３８】
この知人リスト６１０の作成方法は特に限定されないが、例えばユーザ端末１００内に保存されている電話帳（不図示）を用いて作成することができる。
【００３９】
この場合、ユーザ端末制御プログラム７１０は、電話帳に掲載されている氏名の一覧をユーザ端末１００に表示し、知人リスト６１０に登録する人物をユーザに選択させるとともに、必要に応じて「その他キーワード」欄を入力させるようにすると良い。そしてユーザ端末制御プログラム７１０は、ユーザによって選択された人物について、電話帳から、氏名、電話番号、メールアドレス、住所等の情報を抽出して知人リスト６１０を作成する。
【００４０】
このような態様によって、知人リスト６１０を容易かつ誤りなく生成することが可能となる。
【００４１】
そして本実施形態では、ユーザ端末１００は、知人リスト６１０に記載された情報を、ユーザの氏名及び情報の通知先（ユーザ端末１００に設定されている電話番号やメールアドレスなどのユーザの連絡先）としてのユーザ情報と共に、登録情報として、情報通知システム３００に送信する。このとき、ユーザ端末１００は、ユーザの氏名や通知先を電話帳から取得しても良いし、ユーザに氏名や通知先を入力させるようにしても良い。
【００４２】
図２に戻って、記録媒体読取装置１７０は、ＳＤカード等の記録媒体８００に記録された記憶装置１４０内に格納されていないその他のユーザ端末制御プログラム７１０や知人リスト６１０を読み取り、当該その他の知人リスト６１０等を記憶装置１４０に追加で格納する。
【００４３】
通信装置１３０は、ネットワーク５００を介して、情報配信機関サーバ２００や情報通知システム３００、あるいは不図示の他のコンピュータとユーザ端末制御プログラム７１０や知人リスト６１０等の各種データの授受を行う。例えば他のコンピュータに上述したユーザ端末制御プログラム７１０や知人リスト６１０を格納しておき、ユーザ端末１００がこのコンピュータからユーザ端末制御プログラム７１０や知人リスト６１０をダウンロードするようにすることができる。
【００４４】
入力装置１５０は、ユーザによるコマンドやデータの入力を受け付ける各種ボタンやスイッチ、キーボード、タッチパネルディスプレイ上でのタッチ位置を検出するタッチセンサ、マイクなどの入力インタフェース、加速度センサ、温度センサ、ＧＰＳ受信機やコンパスなどの位置検出センサ、カメラなどである。
【００４５】
また出力装置１６０は、例えばディスプレイなどの表示装置、スピーカ、バイブレータ、照明などの出力ユーザインタフェースである。
【００４６】
＝＝情報配信機関サーバ＝＝
情報配信機関サーバ２００は、新聞社等の情報配信機関で用いられるコンピュータである。情報配信機関サーバ２００は、図５に示す様に、ＣＰＵ２１０、メモリ２２０、通信装置２３０、記憶装置２４０、入力装置２５０、出力装置２６０、及び記録媒体読取装置２７０を備えて構成される。これらの情報配信機関サーバ２００のハードウェア構成は、ユーザ端末１００のハードウェア構成と必ずしも同じではないものの、基本的な構成は共通である。そのため、これらのハードウェア構成についての重複した説明は省略する。
【００４７】
情報配信機関サーバ２００の記憶装置２４０には、情報配信機関サーバ２００によって実行される情報配信機関サーバ制御プログラム７２０や、情報配信機関によって配信されるコンテンツ９００等の各種のプログラムやデータが格納される。
【００４８】
記憶装置２４０に記憶されている情報配信機関サーバ制御プログラム７２０やコンテンツ９００等の各種のデータがメモリ２２０に読み出されてＣＰＵ２１０によって実行あるいは処理されることにより、情報配信機関サーバ２００の各種機能が実現される。
【００４９】
例えば情報配信機関サーバ２００は、コンテンツ９００である新聞記事を格納しており、これを自社のウェブページに配信する。なお、コンテンツ９００である新聞記事は、ウェブページに配信せず新聞紙面のみに掲載する新聞記事も含まれる。
【００５０】
＝＝情報通知システム＝＝
続いて、情報通知システム３００について図６〜図８を参照しながら説明する。
【００５１】
情報通知システム３００のハードウェア構成を図６に示す。ただし、情報通知システム３００も、情報配信機関サーバ２００やユーザ端末１００と基本的な構成は共通しているため、重複した説明は省略する。
【００５２】
記憶装置３４０には、情報通知システム制御プログラム７３０及び登録情報管理テーブル６３０が記憶されている。
【００５３】
記憶装置３４０に記憶されている情報通知システム制御プログラム７３０や登録情報管理テーブル６３０等の各種のプログラムやデータがメモリ３２０に読み出されてＣＰＵ３１０によって実行あるいは処理されることにより、情報通知システム３００の各種機能が実現される。
【００５４】
＜登録情報管理テーブル＞
図７に、登録情報管理テーブル６３０の一例を示す。
【００５５】
登録情報管理テーブル６３０は、各ユーザ端末１００から送信されてきた登録情報を格納するテーブルである。図７に示す例では、ユーザＡ、ユーザＢ、ユーザＣの各ユーザ端末１００から送信されてきた登録情報が示されている。なお本実施形態では、各ユーザの連絡先すなわち情報の通知先として、各ユーザのメールアドレスが記載されている。
【００５６】
ここで、図７を見ると分かるように、ユーザＡの知人である「ゴロー」の電話番号と、ユーザＢの知人である「□□五郎」の電話番号が同一である。同様に、ユーザＢの知人である「ヨシロー」のメールアドレスとユーザＣの知人である「吉田△△」のメールアドレスが同一である。
【００５７】
このことから情報通知システム３００は、「ゴロー」は「□□五郎」と同一人物であり、「ヨシロー」は「吉田△△」と同一人物であることを特定する。
【００５８】
そして情報通知システム３００は、情報配信機関から配信された新聞記事に例えば「□□五郎」の文字があった場合には、ユーザＢにだけでなく、ユーザＡにもお知らせ通知や、その新聞記事あるいは新聞記事のリンク情報を通知するようにする。
【００５９】
このような態様により、ユーザは、ユーザが求める他者に関する情報を適時に取得することができる。またユーザが、他者の氏名や名称を忘れてしまったとしても、その他者に関する情報を取得できる。
【００６０】
＜機能構成＞
次に情報通知システム３００の機能構成図の一例を図８に示す。本実施形態に係る情報通知システム３００は、登録情報取得部３０１、キーワード照合部３０２、情報通知部３０３の各機能を含む。
【００６１】
これらの各機能は、情報通知システム３００のハードウェアによって本実施形態に係る情報通知システム制御プログラム７３０が実行されることにより実現される。
【００６２】
登録情報取得部３０１は、ユーザ端末１００から、ユーザが求める他者に関する情報の通知先としてのユーザ情報と、他者に関するキーワードと、他者の連絡先と、を対応付けた登録情報を取得する。そして情報通知システム３００は、登録情報取得部３０１が取得した登録情報を登録情報管理テーブル６３０に格納する。
【００６３】
キーワード照合部３０２は、複数のユーザ端末１００から取得した複数の登録情報に含まれる複数のキーワードを、所定の情報配信機関によって作成されるコンテンツ９００と照合する。
【００６４】
例えばキーワード照合部３０２は、情報配信機関から新たなコンテンツ９００が配信される毎に、そのコンテンツ９００を取得してキーワードと照合する。あるいはキーワード照合部３０２は、毎日所定の照合時刻（例えば６時、１２時、１８時、２４時）になると、前回の照合時刻以降に配信されたコンテンツ９００を情報配信機関サーバ２００から取得し、それらのコンテンツ９００をキーワードと照合する。
【００６５】
あるいはキーワード照合部３０２は、登録情報管理テーブル６３０に記憶された各ユーザの登録情報、ないしは各登録情報内のキーワードを情報配信機関サーバ２００に送信して、情報配信機関サーバ２００にコンテンツ９００とキーワードとを照合させ、照合の結果（例えば、いずれかのキーワードを含むコンテンツ９００あるいはそのＵＲＬ）を受け取るようにしても良い。このような態様により、情報通知システム３００の負荷軽減を図ることが可能となる。
【００６６】
情報通知部３０３は、上記コンテンツ９００にいずれかのキーワードが含まれる場合、登録情報管理テーブル６３０を参照して当該キーワードに対応付けられている他者の連絡先を特定し、当該他者の連絡先と対応付けられている各通知先に、コンテンツ９００又はコンテンツ９００のへのリンク情報を、他者に関する情報として通知する。
【００６７】
図７に示す例で説明すると、例えばあるコンテンツ９００内に「○○大学」及び「吉田△△」という文字が含まれている場合、情報通知部３０３は、他者の連絡先としてメールアドレス「△△＠…」を特定し、この連絡先に対応付けられている各通知先（ＢＢＢ＠…、及びＣＣＣ＠…）に、お知らせ通知、そのコンテンツ９００あるいはコンテンツ９００のＵＲＬを送信する。
【００６８】
このような態様により、例えば○○大学時代に「吉田△△」と友人であったユーザＣのみならず、中学時代に「ヨシロー」と友人であったユーザＢも「ヨシロー」に関する情報を取得することができる。
【００６９】
＝＝処理の流れ＝＝
次に、本実施形態に係る情報システム１０００による処理の流れを、図９〜図１２を参照しながら説明する。
【００７０】
まず第１ユーザ端末１００Ａは、第１知人リスト６１０Ａを作成する（S1000）。第１知人リスト６１０Ａには、上述したように、第１ユーザが求める他者に関するキーワード（例えば氏名）と、他者の連絡先（例えば電話番号）と、が記載されている。そして第１ユーザ端末１００Ａは、第１知人リスト６１０Ａに記載された情報を、第１ユーザの氏名及び情報の通知先（第１ユーザ端末１００Ａに設定されている電話番号やメールアドレスなどの第１ユーザの連絡先）としてのユーザ情報と共に、登録情報として情報通知システム３００に送信する（S1010）。
【００７１】
第２ユーザ端末１００Ｂも同様に、第２知人リスト６１０Ｂを作成し（S1020）、第２知人リスト６１０Ｂに記載された情報を、第２ユーザの氏名及び情報の通知先としてのユーザ情報と共に登録情報として情報通知システム３００に送信する（S1030）。
【００７２】
そして情報通知システム３００は、登録情報管理テーブル６３０に登録情報を保存する（S1040）。
【００７３】
一方で、情報配信機関サーバ２００は、新たなコンテンツ９００を配信すると（S1050）、そのコンテンツ９００を情報通知システム３００に送信する（S1060）。図１０に、コンテンツ９００の例としてお悔やみ記事を示す。
【００７４】
情報通知システム３００は、登録情報管理テーブル６３０に保存されている各登録情報のキーワードと、コンテンツ９００とを照合する（S1070）。その結果、そのコンテンツ９００内にいずれのキーワードも含まれていない場合には（S1080）、情報通知システム３００は処理を終了する。
【００７５】
一方、そのコンテンツ９００内にいずれかのキーワードが含まれている場合には（S1080）、情報通知システム３００は、登録情報管理テーブル６３０を参照し、そのキーワードに対応する他者の連絡先（例えば電話番号）を特定する。
【００７６】
図９に示すコンテンツ９００には「□□五郎」が含まれており、図７に示した登録情報管理テーブル６３０内の「□□五郎」と一致するため、情報通知システム３００は、「□□五郎」の連絡先「070-2345-○○○○」を特定する。
【００７７】
そうすると情報通知システム３００は、その連絡先に対応付けられている各ユーザ（ユーザＡ、ユーザＢ）の通知先（ユーザＡのメールアドレス「ＡＡＡ＠…」、ユーザＢのメールアドレス「ＢＢＢ＠…」）を特定する（S1090）。
【００７８】
そして情報通知システム３００は、各ユーザの通知先に、お知らせ通知、コンテンツ９００あるいはコンテンツ９００のＵＲＬ等のコンテンツ９００に関する情報を送信する（S1100、S1110）。
【００７９】
ユーザＡが使用する第１ユーザ端末１００Ａに、コンテンツ９００のＵＲＬが通知された様子を図１１に示す。同様に、ユーザＢが使用する第２ユーザ端末１００Ｂに、コンテンツ９００のＵＲＬが通知された様子を図１２に示す。なお、例えば、図１１、図１２におけるＵＲＬを排除したものが「お知らせ通知」である。
【００８０】
このような態様によって、ユーザは、ユーザが求める他者に関する情報を適時に取得することが可能となる。またユーザは、その他者の本名ではなく、あだ名のような愛称や、略称等の別名によっても、その他者に関する情報を取得できる。
【００８１】
なお上述したように、登録情報に記録される他者の連絡先には、他者の電話番号や、住所、及びメールアドレスの少なくともいずれかを含むようにすると良い。このような態様により、他者の特定を容易に行うことが可能となる。
【００８２】
また上述したように、コンテンツ９００が新聞又は雑誌の記事である場合には、他者に関する情報が取り上げられても通常は気付きにくいが、本実施形態によれば、このような場合であっても、ユーザは、他者に関する情報を適時に取得することが可能となる。
【００８３】
また上記他者がユーザの知人である場合に、登録情報に記載される他者に関するキーワードとして、知人の本名の他、別名、愛称が含まれ得る。このような態様により、コンテンツ９００に記載された知人に関する情報を、知人の別名や愛称によっても見つけ出すことが可能となる。
【００８４】
またコンテンツ９００がお悔やみ記事である場合には、ユーザは、知人が亡くなったことをいち早く知ることが可能となる。
【００８５】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００８６】
１００    ユーザ端末
１１０    ＣＰＵ
１２０    メモリ
１３０    通信装置
１４０    記憶装置
１５０    入力装置
１６０    出力装置
１７０    記録媒体読取装置
２００    情報配信機関サーバ
２１０    ＣＰＵ
２２０    メモリ
２３０    通信装置
２４０    記憶装置
２５０    入力装置
２６０    出力装置
２７０    記録媒体読取装置
３００    情報通知システム
３０１    登録情報取得部
３０２    キーワード照合部
３０３    情報通知部
３１０    ＣＰＵ
３２０    メモリ
３３０    通信装置
３４０    記憶装置
３５０    入力装置
３６０    出力装置
３７０    記録媒体読取装置
５００    ネットワーク  
６１０    知人リスト
６３０    登録情報管理テーブル
７１０    ユーザ端末制御プログラム
７２０    情報配信機関サーバ制御プログラム
７３０    情報通知システム制御プログラム
８００    記録媒体
９００    コンテンツ
１０００  情報システム
【図１】
2020115300.tif 000003
【図２】
2020115300.tif 000004
【図３】
2020115300.tif 000005
【図４】
2020115300.tif 000006
【図５】
2020115300.tif 000007
【図６】
2020115300.tif 000008
【図７】
2020115300.tif 000009
【図８】
2020115300.tif 000010
【図９】
2020115300.tif 000011
【図１０】
2020115300.tif 000012
【図１１】
2020115300.tif 000013
【図１２】
2020115300.tif 000014